(57)【要約】【課題】被施術者が腰掛けるとき、自発的に座部の奥側へ深く座り易くする理美容椅子を提供する。【解決手段】被施術者の背中を支持するバックレスト１１と、被施術者の腰部を支持する着座部１２と、被施術者の脚部に当接するレッグレスト１３とを備え、着座部１２の前方で被施術者の脚部を支持するレッグレスト１３の両側方に、幅方向に沿って側端から中央へ向かう窪みを有し、この窪みは、立ち姿勢から腰を下ろすと着座部１２に深く着座することが可能な立ち位置に、被施術者が立つことができるように形成されることを特徴とする。【選択図】図１
2020103695.tif 000002
【特許請求の範囲】
【請求項１】
被施術者の背中を支持するバックレストと、
前記被施術者の下半身を支持する座部と、
を備え、
前記座部は、
前記被施術者の腰部を支持する部位の前方で、前記被施術者の脚部を支持する部位の両側方に、該座部の幅方向に沿って側端から中央へ向かう窪みを有し、
前記窪みは、
立ち姿勢から腰を下ろすと前記腰部を支持する部位に深く着座することが可能な立ち位置に、前記被施術者が立つことができるように形成した、
ことを特徴とする理美容椅子。
【請求項２】
前記座部は、
前記被施術者の腰部を支持する着座部と、
前記被施術者の脚部を支持するレッグレストと、
を備え、
前記着座部は、
前記窪みを形成するように前記被施術者の腰部に当接する上面の前端側を丸く形成した、
ことを特徴とする請求項１に記載の理美容椅子。
【請求項３】
前記座部は、
前記被施術者の腰部を支持する着座部と、
前記被施術者の脚部を支持するレッグレストと、
を備え、
前記レッグレストは、
前記窪みを形成するように前記被施術者の脚部に当接する上面の、前記着座部前端側と対向配置する基端側を丸く形成した、
ことを特徴とする請求項１に記載の理美容椅子。
【請求項４】
前記座部は、
前記被施術者の腰部を支持する着座部と、
前記被施術者の脚部を支持するレッグレストと、
を備え、
前記着座部は、
前記被施術者の腰部に当接する上面の前端側を丸く形成し、
前記レッグレストは、
前記被施術者の脚部に当接する上面の、前記着座部前端側と対向配置する基端側を丸く形成し、
前記着座部の丸く形成された前端と前記レッグレストの丸く形成された基端側によって前記窪みを形成する、
ことを特徴とする請求項１に記載の理美容椅子。
【請求項５】
前記レッグレストは、
前記被施術者の脚部に当接する上面の先端側を含めて該上面全体を丸く形成した、
ことを特徴とする請求項３または４のいずれか１項に記載の理美容椅子。
【請求項６】
前記着座部と前記レッグレストとを接続し、前記着座部に対して前記レッグレストを水平または傾いた状態にして支持する支持機構部を、前記着座部および前記レッグレストの幅方向中央に備えた、
ことを特徴とする請求項２から５のいずれか１項に記載の理美容椅子。
【発明の詳細な説明】
【技術分野】
【０００１】
本開示は、被施術者の脚部を支持するレッグレストを備えた理美容椅子に関する。
【背景技術】
【０００２】
例えば、理美容サロンにおいて用いられる理美容椅子には、被施術者が着座する着座部の前側に、被施術者の脚部を支持もしくは載置するレッグレストを備えたものがある。
また、被施術者にバックシャンプーやヘッドスパを施す際には、被施術者の上半身を背後から支持するバックレスト等を可倒式に構成して備えた理美容椅子が使用されている（例えば、特許文献１参照）。
【０００３】
図４は、従来の理美容椅子１００の概略構成を示す説明図である。図示した理美容椅子１００は、バックレスト１０１、着座部１０２、レッグレスト１０３を備え、これらを基台１０４が支持するように構成されている。また、理美容椅子１００は、バックレスト１０１の後方にシャンプーボウル１０５を備えている。なお、バックレスト１０１は、後方へ倒れることができるように、例えば図示されないバックレスト支持機構部によって支持されており、レッグレスト１０３は、例えば図示されないレッグレスト支持機構部によって支持されている。
【０００４】
被施術者にバックシャンプーなどを施す際には、理美容椅子１００に被施術者を着座させ、被施術者の首元がシャンプーボウル１０５に載置することができる程度に、バックレスト１０１を後方へ傾倒させる。
バックレスト１０１を後方（シャンプーボウル１０５側）へ傾倒させるときには、被施術者の腰部やその近傍が浮き上がらないようにするため、施術者は、着座部１０２の奥側へ深く座るように被施術者へ声掛けする。
バックレスト１０１を傾斜させ、概ねフラット状態にすると、ここで例示した理美容椅子１００は、手摺などを椅子側方に備えていないため、バックレスト１０１ならびに着座部１０２に支持されて寝姿勢となっている被施術者は、バックレスト１０１の上面形状（上面側方に備えられたサポート部位等）によって、背中を左右方向からホールドされた状態になる。
【０００５】
理美容椅子１００は、着座部１０２、バックレスト１０１、シャンプーボウル１０５等の配置位置は固定されている。そのため、寝姿勢となっている被施術者は、シャンプーボウル１０５の載置部に首元の位置を合わせる場合には、前述のようにフラット状態になっているバックレスト１０１、着座部１０２等の上面で身体を動かし、身長方向（バックレスト１０１の上下方向）に首元の位置をずらす（移動する）。このように被施術者が寝姿勢になっている身体の位置を調整した後、施術者は前述の施術を行う。
【先行技術文献】
【特許文献】
【０００６】
【特許文献１】特開２０１４−２００４７９号公報
【発明の概要】
【発明が解決しようとする課題】
【０００７】
バックレストを傾斜させる、もしくは略水平状態に近付ける場合には、腰部などの身体各部にかかる荷重等を軽減するため、着座部の奥側へ着座すると良い。しかし、手摺等を備えた理美容椅子では、着座部の前方から着座することが必須になる。即ち、着座部の側方が制限されているため、当該着座部の前側部分に腰を下ろすことになり、着座部の奥側まで身体を入れて着座することが難しくなる。
レッグレストを備えた理美容椅子に着座する場合には、着座部の前側に、例えば倒状態（折畳んだ状態）のレッグレストが存在する。そのため、被施術者が後ろ向きになって着座部に腰掛ける際には、踵などがレッグレストに当接しないように、少し離れた立ち位置から腰を下ろすことになり、着座部に浅く座るようになり易い。
【０００８】
理美容椅子は、初高を低く抑えるように構成していることから、レッグレストを折畳んだ状態で垂直となるように構成すると、当該理美容椅子をベッド状態としたときレッグレストの長さが不足し、被施術者の脹脛を十分に支持することができなくなる。
そのため、理美容椅子を椅子状態にしたとき、レッグレストを完全に折畳まずに、椅子前方へ先端部分を突き出し、適当に傾斜させて配置したものが多く、前述のように被施術者が着座部に浅く座るようになる。
ベッド状態においてフラット感を重視した理美容椅子は、側方に手摺などを備えていないものが多く、このような理美容椅子に浅く腰掛けてしまうと、着座部に深く座り直すことが難しくなる。また、この理美容椅子に浅く腰掛けた状態でバックレストを倒すと、身体側方のサポート感が弱いため被施術者が不安を感じる場合がある。
【０００９】
本開示は、被施術者が腰掛けるとき、自発的に着座部の奥側へ深く座り易くする理美容椅子を提供する。
【課題を解決するための手段】
【００１０】
本開示の理美容椅子は、被施術者の背中を支持するバックレストと、前記被施術者の下半身を支持する座部と、を備え、前記座部は、前記被施術者の腰部を支持する部位の前方で、前記被施術者の脚部を支持する部位の両側方に、該座部の幅方向に沿って側端から中央へ向かう窪みを有し、前記窪みは、立ち姿勢から腰を下ろすと前記腰部を支持する部位に深く着座することが可能な立ち位置に、前記被施術者が立つことができるように形成した、ことを特徴とする。
【００１１】
請求項２の手段は、前記座部が、前記被施術者の腰部を支持する着座部と、前記被施術者の脚部を支持するレッグレストと、を備え、前記着座部は、前記窪みを形成するように前記被施術者の腰部に当接する上面の前端側を丸く形成した、ことを特徴とする。
【００１２】
請求項３の手段は、前記座部が、前記被施術者の腰部を支持する着座部と、前記被施術者の脚部を支持するレッグレストと、を備え、前記レッグレストは、前記窪みを形成するように前記被施術者の脚部に当接する上面の、前記着座部前端側と対向配置する基端側を丸く形成した、ことを特徴とする。
【００１３】
請求項４の手段は、前記座部が、前記被施術者の腰部を支持する着座部と、前記被施術者の脚部を支持するレッグレストと、を備え、前記着座部は、前記被施術者の腰部に当接する上面の前端側を丸く形成し、前記レッグレストは、前記被施術者の脚部に当接する上面の、前記着座部前端側と対向配置する基端側を丸く形成し、前記着座部の丸く形成された前端と前記レッグレストの丸く形成された基端側によって前記窪みを形成する、ことを特徴とする。
【００１４】
請求項５の手段は、前記レッグレストが、前記被施術者の脚部に当接する上面の先端側を含めて該上面全体を丸く形成した、ことを特徴とする。
【００１５】
請求項６の手段は、前記着座部と前記レッグレストとを接続し、前記着座部に対して前記レッグレストを水平または傾いた状態にして支持する支持機構部を、前記着座部および前記レッグレストの幅方向中央に備えた、ことを特徴とする。
【発明の効果】
【００１６】
本開示は、前記したように着座部に深く座ることが容易になり、着座する際や着座した後の姿勢を調整する動作を軽減して、被施術者に与えるストレス等を小さくすることができる。
【図面の簡単な説明】
【００１７】
【図１】本開示の実施例による理美容椅子の概略構成を示す斜視図である。
【図２】本実施例の理美容椅子に備えられる着座部およびレッグレストの構成を示す説明図である。
【図３】本実施例の理美容椅子に被施術者が着座するときの態様を示す説明図である。
【図４】従来の理美容椅子の概略構成を示す説明図である。
【発明を実施するための形態】
【００１８】
以下、この発明の実施の一形態を説明する。
（実施例）
図１は、本開示の実施例による理美容椅子１の概略構成を示す斜視図である。図示した理美容椅子１は、着座した被施術者の背中を背後から支持するバックレスト１１、着座した被施術者の尻部分（腰部下側）を支持する着座部１２、着座した被施術者の脚部を背後から支持するレッグレスト１３等を備えている。また、理美容椅子１は、バックレスト１１、着座部１２等を支持する基台１４を備えており、着座部１２の前方にレッグレスト１３を備え、基台１４の後方（バックレスト１１の後方）に、図示を省略したシャンプーボウル等を備えている。
【００１９】
バックレスト１１は、被施術者を座姿勢の状態と、寝姿勢の状態にすることができるように、例えば基台１４に備えられたバックレスト支持機構部（図示省略）によって支持されている。バックレスト支持機構部によって、バックレスト１１が後方へ倒された状態になったときには、バックレスト１１の上端部分がシャンプーボウル等に接近し、理美容椅子１に着座している被施術者の頭部をシャンプーボウル等のボウル（流し場）へ入れることが可能になる。
バックレスト１１は、内部にクッション材等を備えており、理美容椅子１をベッド状態としたときの上面、即ち、被施術者の背中に当接する面が、概ね背中の形状に沿うように形成されている。
着座部１２は、被施術者が着座する上面が略水平状態となるように基台１４に支持固定されており、後端側にバックレスト１１が配置され、前端側にレッグレスト１３が配置されている。また、着座部１２は、内部に適度な硬さ（柔らかさ）を有するクッション材等を備えており、座面（上面）前側の両角部等を、例えば適当な円周形状で丸く形成した側方部１２ａ，１２ｂを設けている。
【００２０】
レッグレスト１３は、基端側が着座部１２の前端側と対向するように配置されており、例えば、着座部１２の幅方向（前端側）中央近傍と、レッグレスト１３の幅方向（基端側）中央近傍とを接続するレッグレスト支持機構部（図示省略）によって支持されている。
このレッグレスト支持機構部により、レッグレスト１３の先端側は、床面等からの高さが変化し、例えば、レッグレスト１３の上面が、椅子前方へ傾斜した状態から略水平状態となる範囲で変化する。なお、レッグレスト１３の先端側は、被施術者の踵、もしくはその近傍を支持する部分である。
換言すると、理美容椅子１は、着座部１２とレッグレスト１３との間に関節が設けられており、着座部１２に対してレッグレスト１３が起きた状態と寝た状態になるように構成されている。なお、理美容椅子１は、ベッド状態、即ち、レッグレスト１３が略水平状態となっている場合には、レッグレスト１３の上面と着座部１２の上面が連なって平面または略平面となるように構成されている。
【００２１】
レッグレスト支持機構部は、前述のバックレスト支持機構部と連動してレッグレスト１３の姿勢を変化させるように構成してもよい。
具体的には、バックレスト１１が椅子後方へ倒されたとき、レッグレスト１３と座部１２が略水平になるように支持し、バックレスト１１が起きた状態にされたとき、レッグレスト１３の先端側を低くして傾斜した状態にするように構成する。
レッグレスト１３は、内部に適度な硬さ（柔らかさ）のクッション材等を備えており、レッグレスト１３上面（被施術者の脹脛等に当接する面）の基端側を丸く形成し、例えば適当な円周形状で丸く形成した側方部１３ａ，１３ｂを設けている。なお、レッグレスト１３は、上面の先端側を丸く形成し、上記の基端側と先端側を含めて上面全体を丸く形成してもよい。
【００２２】
図２は、本実施例の理美容椅子１に備えられる着座部１２およびレッグレスト１３の構成を示す説明図である。
図２（ａ）の着座部１２およびレッグレスト１３は、図１に例示したものを上方視したものである。なお、ここで図示したレッグレスト１３は、先端部分を低く下げ、当該レッグレスト１３の上面を、理美容椅子１の前方に向けて傾いている状態である。
前述のように、着座部１２の前側両角部等（前端）を丸く形成し、また、レッグレスト１３の後側（基端側）を丸く形成して、これらを対向配置すると、側方部１２ａと側方１３ａとの間に空き領域Ａが生じ、側方部１２ｂと側方部１３ｂとの間に空き領域Ａが生じる。
換言すると、理美容椅子１の、被施術者の脚部を支持する部位の両側方に、着座部１２等の幅方向に沿って側端から中央へ向かう窪み（空き領域Ａ）が設けられている。
【００２３】
図３は、本実施例の理美容椅子１に被施術者Ｂが着座するときの態様を示す説明図である。図３（ａ）は、空き領域Ａに被施術者Ｂが立っている状態を示し、図３（ｂ）は、空き領域Ａに立っていた被施術者Ｂが着座部１２に腰掛けた状態を示している。なお、図３（ａ）および図３（ｂ）において、レッグレスト１３は上面が前方へ傾斜している（先端部分を低く下げている）状態である。
理美容椅子１は、施術前の初期状態として椅子状態になっており、バックレスト１１は起立し、レッグレスト１３は先端部分を低く下げている。
【００２４】
この状態の理美容椅子１に被施術者Ｂが着座するとき、被施術者Ｂは、着座部１２の前側（着座部１２前端とレッグレスト１３後端との間）に近づき、図３（ａ）に示したように、概ねバックレスト１１に背を向けて（後ろ向きになって）空き領域Ａの位置に立つ。
空き領域Ａに立った場合、被施術者Ｂの脚部は、着座部１２（もしくは理美容椅子１）の幅方向において、着座部１２の側端部よりも当該着座部１２の中央寄りに位置する。
この位置に立った状態から着座部１２へ腰を下ろすと、腰もしくは尻部分が着座部１２の例えば中央近傍に降りることになり、図３（ｂ）に示したように、着座部１２の奥側へ深く腰掛けた姿勢になる。
【００２５】
被施術者Ｂは、このように着座部１２へ深く腰掛けた後、腰部等を回転して背中をバックレスト１１に当接させ、また、両脚をレッグレスト１３の上面側へ移動し、例えば脹脛等をレッグレスト１３に当接させる。
換言すると、空き領域Ａ（前述の窪み）は、被施術者Ｂが、立ち姿勢から腰を下ろしたとき、着座部１２に深く着座することができる位置に立つことを可能にするものである。
【００２６】
ここで説明した着座部１２およびレッグレスト１３は、図２（ａ）に示したように、着座部１２の前側とレッグレスト１３の後側の両方を丸く形成したものであるが、十分な大きさ（広さ）の空き領域Ａが生じる形状であれば、例えば、図２（ｂ）に示したように、着座部１２の側方部１２ａ，１２ｂ等を適当な円周形状で丸く形成し、レッグレスト１３の側方部１３ａ，１３ｂには角部（略角部）を有するように形成してもよい。また、図２（ｃ）に示したように、着座部１２の側方部１２ａ，１２ｂには角部（略角部）を有するように形成し、レッグレスト１３の側方部１３ａ，１３等を適当な円周形状で丸く（もしくはレッグレスト１３上面の外周全体を概ね丸く）形成してもよい。
【００２７】
ここで例示した理美容椅子１は、着座部１２とレッグレスト１３を別部材として備えているが、着座部１２の機能を有する部位（被施術者Ｂの腰部等を支持する部位）と、レッグレスト１３の機能を有する部位（被施術者Ｂの脚部を支持する部位）とを連結し、一連の構造体として構成してもよい。このとき、空き領域Ａは、脚部を支持する部位の両側方に、前述のように被施術者Ｂが立つことができる窪みとして設けられる。
【００２８】
以上のように本実施例によれば、被施術者Ｂが空き領域Ａに立っている姿勢から着座部１２に腰を下ろすと、当該着座部１２の奥側に深く着座することができる。
また、着座部１２とレッグレスト１３の各部分を丸く形成することにより、空き領域Ａが形成され、上記のように着座部１２の奥側に深く着座することができる。
また、レッグレスト１３を丸く形成することにより、被施術者Ｂが着座する際に、レッグレスト１３上側の側方部分が邪魔にならず、ストレスを感じることなく着座姿勢を整えることができる。
【００２９】
また、被施術者Ｂが、理美容椅子１に近寄る際に、レッグレスト１３下側の側方部分が邪魔にならず、ストレスを感じることなく接近して着座することができる。
また、レッグスレスト１３を支持するレッグレスト支持機構部を、着座部１２およびレッグレスト１３の幅方向中央となる位置に設置したので、空き領域Ａを十分広く設けることが可能になり、被施術者Ｂが着座部１２に十分接近して腰を下ろし、深く腰掛けることが容易になる。
【符号の説明】
【００３０】
１，１００理美容椅子
１１，１０１バックレスト
１２，１０２着座部、
１２ａ，１２ｂ，１３ａ，１３ｂ側方部
１３，１０３レッグレスト
１４，１０４基台
１０５シャンプーボウル
【図１】
2020103695.tif 000003
【図２】
2020103695.tif 000004
【図３】
2020103695.tif 000005
【図４】
2020103695.tif 000006